(57)【要約】      （修正有）【課題】新たなスキャン条件を容易に決定することができるスキャン条件決定装置を提供する。【解決手段】モニタ３１に複数の項目「撮影時間を短くしたい」、「ＳＮＲを上げたい」、および「空間分解能を上げたい」を表示し、操作者に、これらの項目の中からいずれかの項目を選択させる。項目選択手段４４は、操作者の操作に応じて、選択された項目をスキャン条件決定手段４５に送る。スキャン条件決定手段４５は、選択された項目に対応したスキャンパラメータのパラメータ値を変更し、新たなスキャン条件を決定する。決定したスキャン条件はモニタ３１に表示され、操作者は好みのスキャン条件を選択する。【選択図】図２
2010005064.tif 000002
【特許請求の範囲】
【請求項１】
被検体をスキャンするときのスキャン条件を決定するスキャン条件決定装置であって、
表示手段と、
前記被検体をスキャンすることにより得られた画像に関連する複数の項目が前記表示手段に表示されるように、前記表示手段を制御する表示制御手段と、
操作者の操作に応じて、前記複数の項目のうちの一つ以上の項目を選択する項目選択手段と、
前記項目選択手段が選択した項目に従って、スキャン条件が有する複数のスキャンパラメータのうちのいずれかのスキャンパラメータのパラメータ値を変更することにより、新たなスキャン条件を決定するスキャン条件決定手段と、
を有する、スキャン条件決定装置。
【請求項２】
前記複数の項目には、画質の項目が含まれている、請求項１に記載のスキャン条件決定装置。
【請求項３】
前記画質の項目は、ＳＮＲの項目又は空間分解能の項目である、請求項２に記載のスキャン条件決定装置。
【請求項４】
前記複数の項目には、撮影時間の項目が含まれている、請求項１〜３のうちのいずれか一項に記載のスキャン条件決定装置。
【請求項５】
前記スキャン条件決定手段は、
前記項目選択手段が選択した項目に従って、前記複数のスキャンパラメータの中から、パラメータ値が変更されるスキャンパラメータを決定し、決定された前記スキャンパラメータのパラメータ値を変更する、請求項１〜４のうちのいずれか一項に記載のスキャン条件決定装置。
【請求項６】
前記表示制御手段は、前記表示手段に前記新たなスキャン条件が表示されるように前記表示手段を制御する、請求項１〜５のうちのいずれか一項に記載のスキャン条件決定装置。
【請求項７】
前記スキャン条件を用いて得られる画像のＳＮＲと、前記新たなスキャン条件を用いて得られる画像のＳＮＲとの比を算出するＳＮＲ比算出手段、
を有する請求項６に記載のスキャン条件決定装置。
【請求項８】
前記ＳＮＲ比算出手段が算出した比の値に応じて、前記新たなスキャン条件を前記表示手段に表示させるか否かを判断する表示判断手段を有する、請求項７に記載のスキャン条件決定装置。
【請求項９】
前記表示制御手段は、前記表示手段に前記被検体の画像が表示されるように前記表示手段を制御する、請求項１〜８のうちのいずれか一項に記載のスキャン条件決定装置。
【請求項１０】
請求項１〜９のうちのいずれか一項に記載のスキャン条件決定装置を有する医療システム。
【請求項１１】
前記医療システムはＭＲＩシステム又はＣＴシステムである、請求項１０に記載の医療システム。
【請求項１２】
被検体をスキャンするときのスキャン条件を決定するスキャン条件決定方法であって、
前記被検体をスキャンすることにより得られた画像に関連する複数の項目を表示手段に表示する表示ステップと、
操作者の操作に応じて、前記複数の項目のうちの一つ以上の項目を選択する項目選択ステップと、
前記項目選択ステップにおいて選択された項目に従って、スキャン条件が有する複数のスキャンパラメータのうちのいずれかのスキャンパラメータのパラメータ値を変更することにより、新たなスキャン条件を決定するスキャン条件決定ステップと、
を有する、スキャン条件決定方法。
【発明の詳細な説明】
【技術分野】
【０００１】
本発明は、スキャン条件を決定するスキャン条件決定装置、そのスキャン条件決定装置を有する医療システム、およびスキャン条件を決定するスキャン条件決定方法に関する。
【背景技術】
【０００２】
ＭＲＩシステムで撮影された画像の品質があまりよくない場合、オペレータはスキャンパラメータのパラメータ値を変更して新たなスキャン条件で再撮影したいと考えることがある。しかし、パラメータ値をむやみに変更すると、かえって画質が悪くなることがある。そこで、どのスキャンパラメータが画質にどのような影響を与えるのかをオペレータに提示できるＭＲＩ装置が知られている（特許文献１参照）。
【特許文献１】特開平8-336504号公報
【発明の開示】
【発明が解決しようとする課題】
【０００３】
しかし、特開平8-336504号公報の方法では、オペレータ自身がスキャンパラメータのパラメータ値を変更する作業を行う必要があり、オペレータに負担がかかるという問題がある。
【０００４】
本発明は、上記の事情に鑑み、新たなスキャン条件を容易に決定することができるスキャン条件決定装置、そのスキャン条件決定装置を適用した医療システム、およびスキャン条件を決定するスキャン条件決定方法を提供することを目的とする。
【課題を解決するための手段】
【０００５】
本発明のスキャン条件決定装置は、被検体をスキャンするときのスキャン条件を決定するスキャン条件決定装置であって、
表示手段と、
上記被検体をスキャンすることにより得られた画像に関連する複数の項目が上記表示手段に表示されるように、上記表示手段を制御する表示制御手段と、
操作者の操作に応じて、上記複数の項目のうちの一つ以上の項目を選択する項目選択手段と、
上記項目選択手段が選択した項目に従って、スキャン条件が有する複数のスキャンパラメータのうちのいずれかのスキャンパラメータのパラメータ値を変更することにより、新たなスキャン条件を決定するスキャン条件決定手段と、
を有している。
【０００６】
本発明の医療システムは、本発明のスキャン条件決定装置を有している。
【０００７】
本発明のスキャン条件決定方法は、被検体をスキャンするときのスキャン条件を決定するスキャン条件決定方法であって、
上記被検体をスキャンすることにより得られた画像に関連する複数の項目を表示手段に表示する表示ステップと、
操作者の操作に応じて、上記複数の項目のうちの一つ以上の項目を選択する項目選択ステップと、
上記項目選択ステップにおいて選択された項目に従って、スキャン条件が有する複数のスキャンパラメータのうちのいずれかのスキャンパラメータのパラメータ値を変更することにより、新たなスキャン条件を決定するスキャン条件決定ステップと、
を有している。
【発明の効果】
【０００８】
本発明のスキャン条件決定装置は、画像に関連する複数の項目を表示手段に表示し、表示された複数の項目のうち、操作者の操作に応じて選択された項目に基づいて、新たなスキャン条件を決定している。したがって、新たなスキャン条件を容易に提供することが可能となる。
【発明を実施するための最良の形態】
【０００９】
以下、図面を参照しながら、発明を実施するための最良の形態を詳細に説明する。尚、本発明は、発明を実施するための最良の形態に限定されるものではない。
【００１０】
図１は、本発明の一実施形態のＭＲＩ（Magnetic Resonance Imaging）システム１のブロック図である。
【００１１】
ＭＲＩシステム１は、ＭＲ装置１０と、制御装置２０と、操作装置３０とを有している。
【００１２】
ＭＲ装置１０は、被検体１１からデータを収集し、収集したデータを制御装置２０に送る。
【００１３】
制御装置２０は、ＭＲ装置１０の動作を制御するＭＲ装置制御手段２１と、ＭＲ装置１０からのデータを処理し、画像を再構成する画像再構成手段２２とを有している。再構成された画像は、操作装置３０に送られる。
【００１４】
操作装置３０は、制御装置２０に命令を送ったり、後述するように新たなスキャン条件を決定する。操作装置３０は、モニタ３１と、キーボード３２と、マウス３３と、操作装置本体３４とを有している。
【００１５】
図２は、操作装置本体３４の機能ブロックを示す図である。
【００１６】
操作装置本体３４は、スキャン条件設定手段４１〜スキャン条件選択手段４８を有している。以下に、各ブロックについて説明する。
【００１７】
スキャン条件設定手段４１は、操作者２９（図１参照）の操作に応じて、被検体１１のスキャン条件を設定する。
【００１８】
表示制御手段４２は、項目表示制御部４２１、画像表示制御部４２２、およびスキャン条件表示制御部４２３を有している。
【００１９】
項目表示制御部４２１は、モニタ（表示手段）３１に後述する複数の項目（図６参照）が表示されるように、モニタ３１を制御する。
【００２０】
画像表示制御部４２２は、モニタ３１に再構成された画像が表示されるように、モニタ３１を制御する。
【００２１】
スキャン条件表示制御部４２３は、モニタ３１に被検体１１のスキャン条件が表示されるように、モニタ３１を制御する。また、スキャン条件表示制御部４２３は、モニタ３１に、後述するＳＮＲ（Signal to Noise Ratio）比や撮影時間も表示されるように、モニタ３１を制御する。
【００２２】
記憶手段４３は、変更スキャンパラメータ記憶部４３１およびスキャン条件記憶部４３２を有している。変更スキャンパラメータ記憶部４３１は、どのスキャンパラメータのパラメータ値が変更されるかを規定するテーブル（図８参照）が記憶されている。スキャン条件記憶部４３は、スキャン条件を記憶する。
【００２３】
項目選択手段４４は、操作者２９の操作に応じて、複数の項目（後述する図６参照）の中から、一つの項目を選択する。
【００２４】
スキャン条件決定手段４５は、新たなスキャン条件を決定する。スキャン条件決定手段４５は、変更スキャンパラメータ決定部４５１と、パラメータ値変更部４５２とを有している。変更スキャンパラメータ決定部４５１は、変更スキャンパラメータ記憶部４３１に記憶されたテーブル（図８参照）を参照し、項目選択手段４４が選択した項目に従って、パラメータ値が変更されるスキャンパラメータを決定する。パラメータ値変更部４５２は、変更スキャンパラメータ決定部４５１が決定したスキャンパラメータのパラメータ値を変更する。
【００２５】
ＳＮＲ比算出手段４６は、後述するスキャン条件Ｃ0（図４参照）を用いて得られる画像のＳＮＲと、新たなスキャン条件を用いて得られる画像のＳＮＲとの比を算出する。
【００２６】
撮影時間算出手段４７は、撮影時間を算出する。
【００２７】
スキャン条件選択手段４８は、操作者２９の操作に応じて、複数のスキャン条件の中からいずれかのスキャン条件を選択する。
【００２８】
次に、図１に示すＭＲＩシステム１の処理フローについて説明する。
【００２９】
図３は、第１の実施形態におけるＭＲＩシステム１のフローチャートの一例である。
【００３０】
ステップＳ１１では、操作者２９（図１参照）が、キーボード３２および／又はマウス３３（図１参照）を操作し、被検体１１をスキャンするときのスキャン条件を入力する。
【００３１】
図４は、被検体１１のスキャン条件の一例である。
【００３２】
スキャン条件は、複数のスキャンパラメータを有している。各スキャンパラメータの記号の意味は、以下の通りである。
ＴＥ：エコー時間
ＴＲ：繰返し時間
ＢＷ：バンド幅
Freq：周波数エンコード方向の画素数
Phase：位相エンコード方向の画素数
ＮＥＸ：加算回数（繰返し回数）
ＦＯＶ：撮影領域
ＳＴ：スライス厚
ＳＰ：隣接するスライスの間隔
【００３３】
上記のスキャンパラメータは、操作者２９が直接設定するパラメータである。操作者２９が、キーボード３２および／又はマウス３３を用いて各スキャンパラメータのパラメータ値を入力すると、スキャン条件決定手段４１（図２参照）は、操作者２９が入力したパラメータ値を、各スキャンパラメータのパラメータ値と決定する。このようにして、被検体１１のスキャン条件Ｃ0が設定される。
【００３４】
尚、スキャン条件Ｃ0が設定されると、撮影時間Timeも計算される。撮影時間Timeは、スキャンパラメータＮＥＸのパラメータ値などから計算される。図４では、撮影時間Time＝４分21秒である。
【００３５】
図４に示すスキャン条件Ｃ0は、スキャン条件記憶部４３２（図２参照）に保存される。その後、ステップＳ１２に進む。
【００３６】
ステップＳ１２では、操作者２９がキーボード３２および／又はマウス３３を操作し、被検体１１の頭部１１ａをスキャンするためのスキャン実行命令を入力する。操作者２９がスキャン実行命令を入力すると、制御装置２０は、スキャン実行命令を受けて、図４に示すスキャン条件Ｃ0に従って、被検体１１の頭部１１ａがスキャンされるように、ＭＲ装置１０を制御する。被検体１１の頭部１１ａがスキャンされることにより、受信コイル１２は被検体１１の頭部１１ａのデータを収集する。収集されたデータは制御装置２０に伝送される。制御装置２０は、収集したデータから画像を再構成する。再構成された画像は、操作装置本体３４に送られる。その後、ステップＳ１３に進む。
【００３７】
ステップＳ１３では、画像表示制御部４２２（図２参照）が、モニタ３１に、操作装置本体３４に送られた再構成画像が表示されるように、モニタ３１を制御する。
【００３８】
図５は、再構成画像を表示するモニタ３１の表示画面３１０の一例である。
【００３９】
表示画面３１０には、再構成された画像３１１が表示される。画像３１１が表示された後、ステップＳ１４に進む。
【００４０】
操作者２９は、表示画面３１０に表示された画像３１１を参照し、この画像３１１の画質（例えば、ＳＮＲ、空間分解能）が良好かどうか、画像３１１を撮影するのにかかった撮影時間よりも短い撮影時間で被検体１１を再度撮影してみるかどうか等を検討する。
【００４１】
操作者２９は、画像３１１の画質（例えば、ＳＮＲ、空間分解能）が思っていたほどよくないと感じたり、撮影時間が長いと感じた場合、図４のスキャン条件Ｃ0とは別の新たなスキャン条件で撮影を行いたいと考えることがある。しかし、操作者２９自身は、スキャン条件のどのパラメータが画質（例えば、ＳＮＲ、空間分解能）に関係し、どのパラメータが撮影時間に関係しているのかについて、十分に知らないことが多い。したがって、操作者２９自身のみの知識で、図４のスキャン条件Ｃ0よりも画質（例えば、ＳＮＲ、空間分解能）を向上させることが可能な新たなスキャン条件や、撮影時間を短縮することが可能な新たなスキャン条件を求めることは困難である。そこで、第１の実施形態では、操作者２９自身に十分な知識が無くても、画質（例えば、ＳＮＲ、空間分解能）を向上させることが可能な新たなスキャン条件や、撮影時間を短縮することが可能な新たなスキャン条件を容易に求めることができる。以下に、新たなスキャン条件をどのようにして求めているかについて説明する。
【００４２】
図５に示すように、画像３１１の左側には、プログラムを終了するキャンセルボタン３１２の他に、新スキャン条件ボタン３１３が表示されている。新スキャン条件ボタン３１３は、新たなスキャン条件を求めるソフトウェアを実行するためのボタンである。操作者２９は、画像３１１の画質（例えば、ＳＮＲ、空間分解能）が思っていたほどよくないので、高品質の画像を得るための新たなスキャン条件で撮影を行いたいと考えた場合や、もう少し短い撮影時間で撮影が行える新たなスキャン条件で撮影を行いたいと考えた場合、新スキャン条件ボタン３１３をクリックする。新スキャン条件ボタン３１３がクリックされた場合、ステップＳ１４からステップＳ１６に進む。
【００４３】
尚、新スキャン条件ボタン３１３がクリックされない場合は、ステップＳ１４からステップＳ１５に進み、キャンセルボタン３１２がクリックされたか否かが判断される。キャンセルボタン３１２がクリックされた場合、プログラムは終了する。一方、キャンセルボタン３１２がクリックされない場合は、ステップＳ１５からステップＳ１４に戻る。したがって、キャンセルボタン３１２および新スキャン条件ボタン３１３のいずれか一方のボタンがクリックされるまで、ステップＳ１４およびＳ１５のループが繰返し実行される。ステップＳ１４において新スキャン条件ボタン３１３がクリックされると、ステップＳ１６に進む。
【００４４】
ステップＳ１６では、新スキャン条件ボタン３１３がクリックされたことを受けて、項目表示制御部４２１（図２参照）が、モニタ３１に複数の項目が表示されるように、モニタ３１を制御する（図６参照）。
【００４５】
図６は、複数の項目を表示するモニタ３１の表示画面の一例を示す図である。
【００４６】
表示画面３１０の左下の領域３１４には、画像３１１に関連する複数の項目が表示される。第１の実施形態では、以下の３つの項目（１）〜（３）が表示されている。
（１）撮影時間を短くしたい。
（２）ＳＮＲを上げたい。
（３）空間分解能を上げたい。
【００４７】
（１）は、撮影時間の項目である。（２）および（３）は、画質に関する項目である。各項目の左側には、チェックボックスＣＢ１、ＣＢ２、ＣＢ３が表示されている。また、表示画面３１０の右下には、アクセプトボタン３１５とキャンセルボタン３１６とが表示されている。図６に示す画面３１０が表示された後、ステップＳ１７に進む。
【００４８】
操作者２９は、撮影時間を短くしたいと考えた場合、撮影時間のチェックボックスＣＢ１にチェックを入力する。また、操作者２９は、画像３１１に対して、ＳＮＲを向上させたいと考えた場合、ＳＮＲのチェックボックスＣＢ２にチェックを入力し、空間分解能を向上させたいと考えた場合、空間分解能のチェックボックスＣＢ３にチェックを入力する。図６には、撮影時間のチェックボックスＣＢ１にチェックが入力されている様子が示されている。チェックボックスＣＢ１〜ＣＢ３のいずれかにチェックが入力されている状態で、操作者２９がアクセプトボタン３１５をクリックすると、項目選択手段４４（図２参照）は、チェックボックスにチェックが入力されている項目を選択する。例えば、図６には、撮影時間のチェックボックスＣＢ１がチェックされているので、アクセプトボタン３１５がクリックされると、項目選択手段４４は、項目「撮影時間を短くしたい」を選択する。
【００４９】
尚、どの項目も選択されていない場合は、ステップＳ１８に進み、キャンセルボタン３１６がクリックされたか否かが判断される。キャンセルボタン３１６がクリックされると、プログラムは終了する。一方、キャンセルボタン３１６がクリックされない場合、ステップＳ１７に戻り、ステップＳ１７とＳ１８のループが繰返し実行される。ステップＳ１７において、３つの項目のいずれかが選択されると、ステップＳ１９に進む。
【００５０】
ステップＳ１９では、項目選択手段４４が選択した項目に従って、スキャン条件決定手段４５（図２参照）が、図４のスキャン条件Ｃ0とは別の新たなスキャン条件を決定する。具体的には、項目選択手段４４が項目「撮影時間を短縮したい」を選択した場合、スキャン条件決定手段４５は、撮影時間が短縮可能な新たなスキャン条件を決定する。また、項目選択手段４４が項目「ＳＮＲを上げたい」を選択した場合、スキャン条件決定手段４５は、ＳＮＲを大きくすることが可能な新たなスキャン条件を決定する。更に、項目選択手段４４が項目「空間分解能を上げたい」を選択した場合、スキャン条件決定手段４５は、空間分解能を大きくすることが可能な新たなスキャン条件を決定する。
【００５１】
図７は、ステップＳ１９で実行されるスキャン条件決定のフローの一例を示す図である。
【００５２】
スキャン条件決定手段４５は、図４のスキャン条件の複数のスキャンパラメータのうちの一つ以上のスキャンパラメータのパラメータ値を変更することによって、新たなスキャン条件を決定している。以下に、項目「撮影時間を短縮したい」、項目「ＳＮＲを上げたい」、および項目「空間分解能を上げたい」が選択された場合について、どのようにして新たなスキャン条件が決定されるかについて順に説明する。
【００５３】
（Ａ）「撮影時間を短縮したい」が選択された場合
ステップＳ１９１では、変更スキャンパラメータ決定部４５１が（図２参照）、変更スキャンパラメータ記憶部４３１に記憶されたテーブルを参照し、図４のスキャン条件Ｃ0が有する複数のスキャンパラメータの中から、パラメータ値が変更されるスキャンパラメータを決定する。
【００５４】
図８は、変更スキャンパラメータ記憶部４３１に記憶されたテーブルの一例を示す図である。
【００５５】
テーブルには、項目の欄と、パラメータ値が変更される変更スキャンパラメータの欄が設けられている。
【００５６】
項目「撮影時間を短縮したい」に対して、変更スキャンパラメータの欄に２つのカラムＡ１およびＡ２が設けられている。カラムＡ１には、「ＮＥＸ」と記載されており、カラムＡ２には、「ＮＥＸ＋Phase」が記載されている。「ＮＥＸ」は、変更されるパラメータがＮＥＸのみであることを意味する。「ＮＥＸ＋Phase」は、変更されるパラメータにPhaseを追加し、変更されるパラメータをＮＥＸとPhaseにすることを意味する。変更スキャンパラメータ決定部４５１は、カラムＡ１およびＡ２のうち、先ず、カラムＡ１に記載されている内容に従い、「ＮＥＸ」のみを、変更されるスキャンパラメータと決定する。その後、ステップＳ１９２に進む。
【００５７】
ステップＳ１９２では、パラメータ値変更部４５２（図２参照）が、ステップＳ１９１で決定されたスキャンパラメータのパラメータ値を変更する。ステップＳ１９１では、「ＮＥＸ」のみが変更されるパラメータと決定されているので、ＮＥＸのパラメータ値のみが変更される。パラメータ値変更部４５２は、図４のスキャン条件Ｃ0よりも撮影時間が短くなるように、ＮＥＸのパラメータ値を変更する。図４のスキャン条件Ｃ0では、ＮＥＸ＝３であるので、ＮＥＸを３よりも小さい値に変更することによって、撮影時間を短くすることができる。ただし、第１の実施形態では、ＮＥＸは、整数値しか取ることができない。したがって、図４のスキャン条件よりも撮影時間を短くすることができるＮＥＸのパラメータ値は、３よりも小さい整数値、即ち、ＮＥＸ＝２、又はＮＥＸ＝１である。したがって、パラメータ値変更部４５２が、ＮＥＸ＝２、又はＮＥＸ＝１を選択することによって、図４のスキャン条件Ｃ0よりも撮影時間を短くするスキャン条件を得ることができる。第１の実施形態では、パラメータ値変更部４５２は、ＮＥＸ＝２、又はＮＥＸ＝１のうち、図４のスキャン条件Ｃ0で規定されているＮＥＸの値（ＮＥＸ＝３）に一番近い値を、パラメータ値として決定する。ＮＥＸ＝３に一番近い値は、ＮＥＸ＝２である。したがって、パラメータ値変更部４５２は、図４のスキャン条件Ｃ0で規定されているＮＥＸの値（ＮＥＸ＝３）を、ＮＥＸ＝２に変更する。これにより、スキャン条件決定手段４５は、図４のスキャン条件Ｃ0のうち、ＮＥＸの値（ＮＥＸ＝３）がＮＥＸ＝２に置き換えられたスキャン条件を、新たなスキャン条件と決定する。このようにして、新たなスキャン条件が決定される。
【００５８】
図９は、図４のスキャン条件Ｃ0と、ＮＥＸ＝２に置き換えられた新たなスキャン条件Ｃt１とを並べて示した図である。
【００５９】
新たなスキャン条件Ｃt１は、ＮＥＸの値以外は、スキャン条件Ｃ0と同じである。このようにパラメータ値を変更した後、ステップＳ１９３に進む。
【００６０】
ステップＳ１９３では、ＳＮＲ比算出手段４６（図２参照）が、スキャン条件Ｃ0を用いて得られる画像のＳＮＲ（＝ＳＮＲ0）と、新たなスキャン条件Ｃt１を用いて得られる画像のＳＮＲ（＝ＳＮＲ1）との比Ｒ01を算出する。Ｒ01は、以下の式（１）から計算される。
Ｒ01＝（ＳＮＲ1／ＳＮＲ0）×１００・・・（１）
【００６１】
式（１）の中の項（ＳＮＲ1／ＳＮＲ0）の値は、スキャン条件Ｃ0およびＣt１のＢＷやＮＥＸの値が分かれば算出することができる。したがって、式（１）を用いることによって、比Ｒ01を算出することができる。ここでは、比Ｒ01＝８２％である（図９参照）。したがって、新たなスキャン条件Ｃt１で被検体１１をスキャンした場合、スキャン条件Ｃ0でスキャンした場合よりも、ＳＮＲが１８％低下することが分かる。ＳＮＲの比Ｒ01を算出した後、ステップＳ１９４に進む。
【００６２】
ステップＳ１９４では、撮影時間算出手段４７（図２参照）が、新たなスキャン条件Ｃt１を用いて撮影するときに要する撮影時間Timeを算出する。新たなスキャン条件Ｃt１の撮影時間Timeは、２分５３秒である（図９参照）。したがって、ＮＥＸ＝３からＮＥＸ＝２に変更することによって、撮影時間Timeが短縮できることが分かる。撮影時間Timeを決定した後、ステップＳ１９５に進む。
【００６３】
ステップＳ１９５では、変更スキャンパラメータ決定部４５１が、新たなスキャン条件Ｃt１のスキャンパラメータに対して、いずれかのスキャンパラメータのパラメータ値を変更するか否かを決定する。図８を参照すると、項目「撮影時間を短縮したい」を選択した場合、カラムＡ２（図８参照）には、変更されるパラメータに「Phase」を追加することが規定されている。しかし、新たなスキャン条件Ｃt１は、「ＮＥＸ」のパラメータ値しか変更されていない。したがって、変更スキャンパラメータ決定部４５１は、Phaseのパラメータ値を変更すると判断し、ステップＳ１９２に戻る。
【００６４】
ステップＳ１９２では、パラメータ値変更部４５２（図２参照）が、新たなスキャン条件Ｃt１に対して、「Phase」のパラメータ値を変更する。この場合、パラメータ値変更部４５２は、新たなスキャン条件Ｃt１よりも撮影時間が短くなるように、「Phase」のパラメータ値を変更する。新たなスキャン条件Ｃt１では、Phase＝１９２であるので、Phaseを１９２よりも小さい値に変更することによって、撮影時間を新たなスキャン条件Ｃt１よりも更に短くすることができる。第１の実施形態では、パラメータ値変更部４５２は、スキャン条件Ｃt１で規定されているPhaseの値（Phase＝１９２）を、Phase＝１６０に変更する。スキャン条件決定手段４５は、新たなスキャン条件Ｃt１のうち、Phaseの値（Phase＝１９２）がPhase＝１６０に置き換えられたスキャン条件を、別の新たなスキャン条件Ｃt２と決定する。このようにして、別の新たなスキャン条件Ｃt２が決定される。
【００６５】
図１０は、スキャン条件Ｃ0および新たなスキャン条件Ｃt１と、Phase＝１６０に置き換えられた別の新たなスキャン条件Ｃt２とを並べて示した図である。
【００６６】
スキャン条件Ｃt２は、Phaseの値以外は、スキャン条件Ｃt１と同じである。このようにパラメータ値を変更した後、ステップＳ１９３に進む。
【００６７】
ステップＳ１９３では、ＳＮＲ比算出手段４６（図２参照）が、スキャン条件Ｃ0を用いて得られる画像のＳＮＲ（＝ＳＮＲ0）と、新たなスキャン条件Ｃt２を用いて得られる画像のＳＮＲ（＝ＳＮＲ2）との比Ｒ02を算出する。Ｒ02は、以下の式（２）から計算される。
Ｒ02＝（ＳＮＲ2／ＳＮＲ0）×１００・・・（２）
【００６８】
式（２）の中の項（ＳＮＲ2／ＳＮＲ0）の値は、スキャン条件Ｃ0およびＣt２のＢＷやＮＥＸの値が分かれば算出することができる。したがって、式（２）を用いることによって、比Ｒ02を決定することができる。ここでは、比Ｒ02＝８９％である（図９参照）。したがって、別の新たなスキャン条件Ｃt２で被検体１１をスキャンした場合、新たなスキャン条件Ｃt１でスキャンした場合よりも、ＳＮＲが７％向上することが分かる。ＳＮＲの比Ｒ02を算出した後、ステップＳ１９４に進む。
【００６９】
ステップＳ１９４では、撮影時間算出手段４７（図２参照）が、新たなスキャン条件Ｃt２を用いて撮影するときに要する撮影時間Timeを算出する。新たなスキャン条件Ｃt２の撮影時間Timeは、２分２４秒である（図９参照）。したがって、Phase＝１９２からPhase＝１６０に変更することによって、スキャン条件Ｃt１よりも更に撮影時間が短縮できることが分かる。撮影時間Timeを決定した後、ステップＳ１９５に進む。
【００７０】
ステップＳ１９５では、変更スキャンパラメータ決定部４５１が、新たなスキャン条件Ｃt２のスキャンパラメータに対して、いずれかのスキャンパラメータのパラメータ値を変更するか否かを決定する。図１０に示すように、スキャン条件Ｃt２では、スキャン条件Ｃt１に対してPhaseのパラメータ値が変更されている。したがって、カラムＡ２に規定されている「ＮＥＸ」と「Phase」とのパラメータ値の変更が実行されている。したがって、変更スキャンパラメータ決定部４５１は、更にパラメータ値を変更することはしないと判断し、プログラムを終了する。
【００７１】
したがって、項目「撮影時間を短縮したい」を選択した場合、撮影時間を短縮することが可能なスキャン条件として、図１０に示す２つのスキャン条件Ｃt１およびＣt２が決定される。２つのスキャン条件Ｃt１およびＣt２は、スキャン条件Ｃ0よりもＳＮＲは低下するものの、撮影時間は十分に短縮できることが分かる。
【００７２】
次に、ステップＳ１７（図３参照）において、項目「ＳＮＲを上げたい」が選択された場合について説明する。
【００７３】
（Ｂ）「ＳＮＲを上げたい」が選択された場合
「ＳＮＲを上げたい」が選択された場合の説明にあたっては、「撮影時間を短縮したい」が選択された場合との相違点を主に説明する。
【００７４】
ステップＳ１７において、項目「ＳＮＲを上げたい」が選択された場合、ステップＳ１９１（図７参照）に進む。
【００７５】
ステップＳ１９１では、変更スキャンパラメータ決定部４５１（図２参照）が、変更スキャンパラメータ記憶部４３１に記憶されたテーブル（図８参照）を参照し、図４のスキャン条件Ｃ0が有する複数のスキャンパラメータの中から、パラメータ値が変更されるスキャンパラメータを決定する。
【００７６】
図８に示すように、項目「ＳＮＲを上げたい」に対して、変更スキャンパラメータの欄に２つのカラムＢ１およびＢ２が設けられている。カラムＢ１およびＢ２には、カラムＡ１およびＡ２と同様に、それぞれ「ＮＥＸ」と「ＮＥＸ＋Phase」が記載されている。したがって、項目「ＳＮＲを上げたい」を選択した場合、図７のフローが実行されることにより、「ＮＥＸ」のパラメータ値のみが変更された新たなスキャン条件Ｃs１と、「ＮＥＸ」と「Phase」のパラメータ値が変更された別の新たなスキャン条件Ｃs２が決定される（図１１参照）。
【００７７】
図１１は、「ＳＮＲを上げたい」が選択された場合に決定される新たなスキャン条件Ｃs１およびＣs２を示す図である。
【００７８】
スキャン条件Ｃs１およびＣs２は、いずれも、スキャン条件Ｃ0よりもＳＮＲが大きくなるように、ＮＥＸの値およびPhaseの値が設定されている。スキャン条件Ｃs１は、スキャン条件Ｃ0に対して、ＮＥＸが４に変更されている。一方、スキャン条件Ｃs２は、スキャン条件Ｃs１に対して、Phaseが１６０に変更されている。スキャン条件Ｃs１およびＣs２のＳＮＲ比は、それぞれ１１５％および１２６％であり、スキャン条件Ｃ0よりもＳＮＲが向上していることが分かる。
【００７９】
次に、ステップＳ１７（図３参照）において、項目「空間分解能を上げたい」が選択された場合について説明する。
【００８０】
（Ｃ）「空間分解能を上げたい」が選択された場合
「空間分解能を上げたい」が選択された場合の説明にあたっては、「撮影時間を短縮したい」が選択された場合との相違点を主に説明する。
【００８１】
ステップＳ１７において、項目「空間分解能を上げたい」が選択された場合、ステップＳ１９１（図７参照）に進む。
【００８２】
ステップＳ１９１では、変更スキャンパラメータ決定部４５１（図２参照）が、変更スキャンパラメータ記憶部４３１に記憶されたテーブル（図８参照）を参照し、図４のスキャン条件Ｃ0が有する複数のスキャンパラメータの中から、パラメータ値が変更されるスキャンパラメータを決定する。
【００８３】
図８に示すように、項目「空間分解能を上げたい」に対して、変更スキャンパラメータの欄に２つのカラムＣ１およびＣ２が設けられている。カラムＣ１には、「ＦＯＶ」と記載されている。「ＦＯＶ」は、変更されるパラメータがＦＯＶのみであることを意味する。また、カラムＣ２には、「ＦＯＶ＋Phase」と記載されている。「ＦＯＶ＋Phase」は、変更されるパラメータにPhaseを追加し、変更されるパラメータをＦＯＶとPhaseにすることを意味する。変更スキャンパラメータ決定部４５１は、カラムＣ１およびＣ２のうち、先ず、カラムＣ１に記載されている内容に従い、「ＦＯＶ」を、変更されるスキャンパラメータと決定する。その後、ステップＳ１９２に進む。
【００８４】
ステップＳ１９２では、パラメータ値変更部４５２（図２参照）が、図４のスキャン条件Ｃ0よりも空間分解能が向上するように、ＦＯＶのパラメータ値を変更する。図４のスキャン条件Ｃ0では、ＦＯＶ＝２４であるので、ＦＯＶを２４よりも小さい値に変更することによって、空間分解能を向上させることができる。ただし、第１の実施形態では、ＦＯＶは、整数値しか取ることができない。したがって、図４のスキャン条件Ｃ0よりも空間分解能を向上させることができるＦＯＶのパラメータ値は、２４よりも小さい整数値である。したがって、パラメータ値変更部４５２が、２４よりも小さい整数値を選択することによって、図４のスキャン条件Ｃ0よりも空間分解能が向上するスキャン条件を得ることができる。第１の実施形態では、パラメータ値変更部４５２は、ＦＯＶを２３に変更する。これにより、スキャン条件決定手段４５は、図４のスキャン条件Ｃ0のうち、ＦＯＶの値（ＦＯＶ＝２４）がＦＯＶ＝２３に置き換えられたスキャン条件を、新たなスキャン条件と決定する。このようにして、新たなスキャン条件が決定される。
【００８５】
図１２は、図４のスキャン条件Ｃ0と、ＦＯＶ＝２３に置き換えられた新たなスキャン条件Ｃr１とを並べて示した図である。
【００８６】
新たなスキャン条件Ｃr１は、ＦＯＶの値以外は、スキャン条件Ｃ0と同じである。このようにパラメータ値を変更した後、ステップＳ１９３に進む。
【００８７】
ステップＳ１９３では、ＳＮＲ比算出手段４６（図２参照）が、スキャン条件Ｃ0を用いて得られる画像のＳＮＲ（＝ＳＮＲ0）と、新たなスキャン条件Ｃr１を用いて得られる画像のＳＮＲ（＝ＳＮＲ3）との比Ｒ03を算出する。Ｒ03は、以下の式（３）から計算される。
Ｒ03＝（ＳＮＲ3／ＳＮＲ0）×１００・・・（３）
【００８８】
式（３）の中の項（ＳＮＲ3／ＳＮＲ0）の値は、スキャン条件Ｃ0およびＣr１のＢＷやＮＥＸの値が分かれば算出することができる。したがって、式（３）を用いることによって、比Ｒ03を算出することができる。ここでは、比Ｒ03＝９２％である（図１２参照）。したがって、新たなスキャン条件Ｃr１で被検体１１をスキャンした場合、スキャン条件Ｃ0でスキャンした場合よりも、ＳＮＲが８％低下することが分かる。ＳＮＲの比Ｒ03を算出した後、ステップＳ１９４に進む。
【００８９】
ステップＳ１９４では、撮影時間算出手段４７（図２参照）が、新たなスキャン条件Ｃr１を用いて撮影するときに要する撮影時間Timeを算出する。新たなスキャン条件Ｃr１の撮影時間Timeは、4分21秒である（図１２参照）。撮影時間Timeを算出した後、ステップＳ１９５に進む。
【００９０】
ステップＳ１９５では、変更スキャンパラメータ決定部４５１が、新たなスキャン条件Ｃr１のスキャンパラメータに対して、いずれかのスキャンパラメータのパラメータ値を変更するか否かを決定する。図８を参照すると、項目「空間分解能を上げたい」を選択した場合、カラムＣ２（図８参照）には、変更されるパラメータに「Phase」を追加することが規定されている。しかし、新たなスキャン条件Ｃr１は、「ＦＯＶ」のパラメータ値しか変更されていない。したがって、変更スキャンパラメータ決定部４５１は、Phaseのパラメータ値を変更すると判断し、ステップＳ１９２に戻る。
【００９１】
ステップＳ１９２では、パラメータ値変更部４５２（図２参照）が、新たなスキャン条件Ｃr１に対して、「Phase」のパラメータ値を変更する。この場合、パラメータ値変更部４５２は、新たなスキャン条件Ｃr１よりも空間分解能が向上するように、「Phase」のパラメータ値を変更する。新たなスキャン条件Ｃr１では、Phase＝１９２であるので、Phaseを１９２よりも大きい値に変更することによって、空間分解能を新たなスキャン条件Ｃr１よりも更に向上させることができる。第１の実施形態では、パラメータ値変更部４５２は、新たなスキャン条件Ｃr１で規定されているPhaseの値（Phase＝１９２）を、Phase＝２２４に変更する。スキャン条件決定手段４５は、新たなスキャン条件Ｃr１のうち、Phaseの値（Phase＝１９２）がPhase＝２２４に置き換えられたスキャン条件を、別の新たなスキャン条件Ｃr２と決定する。このようにして、別の新たなスキャン条件Ｃr２が決定される。
【００９２】
図１３は、スキャン条件Ｃ0および新たなスキャン条件Ｃr１と、Phase＝２２４に置き換えられた別の新たなスキャン条件Ｃr２とを並べて示した図である。
【００９３】
スキャン条件Ｃr２は、Phaseの値以外は、スキャン条件Ｃr１と同じである。このようにパラメータ値を変更した後、ステップＳ１９３に進む。
【００９４】
ステップＳ１９３では、ＳＮＲ比算出手段４６（図２参照）が、スキャン条件Ｃ0を用いて得られる画像のＳＮＲ（＝ＳＮＲ0）と、スキャン条件Ｃr２を用いて得られる画像のＳＮＲ（＝ＳＮＲ4）との比Ｒ04を算出する。Ｒ04は、以下の式（４）から計算される。
Ｒ04＝（ＳＮＲ4／ＳＮＲ0）×１００・・・（４）
【００９５】
式（４）の中の項（ＳＮＲ4／ＳＮＲ0）の値は、スキャン条件Ｃ0およびＣr２のＢＷやＮＥＸの値が分かれば算出することができる。したがって、式（４）を用いることによって、比Ｒ04を算出することができる。ここでは、比Ｒ04＝９８％である（図１３参照）。ＳＮＲの比Ｒ04を算出した後、ステップＳ１９４に進む。
【００９６】
ステップＳ１９４では、撮影時間算出手段４７（図２参照）が、スキャン条件Ｃr２を用いて撮影するときに要する撮影時間Timeを算出する。スキャン条件Ｃr２の撮影時間Timeは、4分21秒である（図１３参照）。撮影時間Timeを算出した後、ステップＳ１９５に進む。
【００９７】
ステップＳ１９５では、変更スキャンパラメータ決定部４５１が、スキャン条件Ｃr２のスキャンパラメータに対して、いずれかのスキャンパラメータのパラメータ値を変更するか否かを決定する。図１３に示すように、スキャン条件Ｃr２では、スキャン条件Ｃr１に対してPhaseのパラメータ値が変更されている。したがって、カラムＣ２に規定されている「ＦＯＶ」と「Phase」とのパラメータ値の変更が実行されている。したがって、変更スキャンパラメータ決定部４５１は、更にパラメータ値を変更することはしないと判断し、プログラムを終了する。
【００９８】
図１３に示すように、スキャン条件Ｃr1は、スキャン条件Ｃ0に対して、ＦＯＶが小さくなっているので、空間分解能を向上させることができる。また、スキャン条件Ｃr２は、スキャン条件Ｃr1に対して、Phaseを大きくしているので、更に空間分解能を向上させることができる。
【００９９】
上記のように、スキャン条件決定手段４５（図２参照）は、ステップＳ１９において、図７に示すフローに従って新たなスキャン条件を決定する。ステップＳ１９において、新たなスキャン条件を決定した後、ステップＳ２０（図３参照）に進む。
【０１００】
ステップＳ２０では、スキャン条件表示制御部４２３（図２参照）が、ステップＳ１７で選択された項目に応じて、図１０、図１１、又は図１３に示すスキャン条件が表示されるように、モニタ３１を制御する。ステップＳ１７において、項目「撮影時間を短縮したい」が選択された場合、図１０のスキャン条件Ｃ0、Ｃt１、およびＣt２が表示される。項目「ＳＮＲを上げたい」が選択された場合、図１１のスキャン条件Ｃ0、Ｃs１、およびＣs２が表示される。また、項目「空間分解能を上げたい」が選択された場合、図１３のスキャン条件Ｃ0、Ｃr１、およびＣr２が表示される。以下では、ステップＳ１７において、「撮影時間を短縮したい」が選択された場合に、モニタ３１に、図１０のスキャン条件Ｃ0、Ｃt１、およびＣt２がどのように表示されるかについて説明する。
【０１０１】
図１４は、図１０のスキャン条件Ｃ0、Ｃt１、およびＣt２を表示するモニタ３１の表示画面３１０の一例を示す図である。
【０１０２】
表示画面３１０には、図１０に示すスキャン条件Ｃ0、Ｃt１、およびＣt２が表示されており、スキャン条件Ｃ0、Ｃt１、およびＣt２の下には、ＳＮＲ比と撮影時間Timeも表示されている。また、スキャン条件Ｃ0、Ｃt１、およびＣt２の左側には、選択ボタン３１７および３１８と、キャンセルボタン３１９が表示されている。
【０１０３】
図１４に示すような表示画面３１０が表示された後、ステップＳ２１に進む。
【０１０４】
操作者２９は、表示画面３１０を見ながら、新たなスキャン条件Ｃt１およびＣt２を検討し、試してみたいスキャン条件があれば、表示画面３１０の選択ボタン３１７又は３１８をクリックする。選択ボタン３１７がクリックされると、スキャン条件Ｃt１に従って撮影が行われ、選択ボタン３１８がクリックされると、スキャン条件Ｃt２に従って撮影が行われる。選択ボタン３１７又は３１８がクリックされない場合は、ステップＳ２２に進む。操作者２９は、スキャン条件Ｃt１およびＣt２の両方とも試してみたいと感じなければ、キャンセルボタン３１９をクリックする。キャンセルボタン３１９がクリックされると、プログラムが終了する。キャンセルボタン３１９がクリックされない場合、ステップＳ２２からステップＳ２１に戻る。したがって、選択ボタン３１７、３１８、又はキャンセルボタン３１９がクリックされるまで、ステップＳ２１およびＳ２２のループが繰り返し実行される。ステップＳ２１において、操作者２９が、例えば、選択ボタン３１７をクリックすると、スキャン条件選択手段４８（図２参照）は、スキャン条件Ｃt１が選択されたと判断し、制御装置２０のＭＲ装置制御手段２１に、スキャン条件Ｃt１に従ってスキャンを実行すべき旨の命令を送り、ステップＳ２３に進む。
【０１０５】
ステップＳ２３では、新たなスキャン条件Ｃt１に従ってスキャンが実行される。スキャンが実行されると、被検体１１から頭部１１ａのデータが収集され、画像再構成手段２２で再構成される。再構成された画像は、モニタ３１に表示され、フローが終了する。
【０１０６】
尚、ステップＳ２０〜ステップＳ２３では、「撮影時間を短縮したい」が選択された場合について説明されているが、「ＳＮＲを上げたい」や「空間分解能を上げたい」が選択された場合でも、同様に説明できる。
【０１０７】
第１の実施形態では、操作者２９は、図６の画面３１０の領域３１４内に表示されている複数の項目のいずれかを選択するだけで、操作者２９が選択した項目の内容を実現する新たなスキャン条件が決定される。したがって、スキャン条件を容易に決定することができる。
【０１０８】
（２）第２の実施形態
第２の実施形態の説明に当たっては、第１の実施形態との相違点のみについて説明する。
【０１０９】
図１５は、第２の実施形態における操作装置本体３４の機能ブロックを示す図である。
【０１１０】
第２の実施形態では、第１の実施形態で備えられているスキャン条件設定手段４１〜スキャン条件選択手段４８に加えて、表示判断手段４９が設けられている。表示判断手段４９は、新たなスキャン条件をモニタ３１に表示させるか否かを判断する。
【０１１１】
図１６は、ステップＳ１７において、「撮影時間を短縮したい」が選択された場合に、モニタ３１に、図１０のスキャン条件Ｃ0、Ｃt１、およびＣt２がどのように表示されるかを示す図である。
【０１１２】
第２の実施形態では、第１の実施形態とは異なり、表示画面３１０には、新たなスキャン条件Ｃt２は表示されているが、新たなスキャン条件Ｃr１は表示されていない。第２の実施形態では、表示判断手段４９が、ＳＮＲ比が８５％以下になるスキャン条件は表示せずと判断する。したがって、表示画面３１０には、ＳＮＲが低すぎるスキャン条件は表示されないようにすることができ、ある程度の画質の画像を得ることが可能なスキャン条件のみを表示することができる。第２の実施形態では、スキャン条件が表示される基準をＳＮＲ比８５％にしているが、ＳＮＲ比の基準値は、他の値にすることもできる。また、第２の実施形態では、スキャン条件が表示される基準として、ＳＮＲ比を採用しているが、ＳＮＲ比の代わりに、撮影時間を採用することもできる。
【０１１３】
尚、第１および第２の実施形態では、画面に表示される項目（図６参照）は、「（１）撮影時間を短くしたい」、「（２）ＳＮＲを上げたい」、および「（３）空間分解能を上げたい」の３つであるが、この他の項目（例えば、コントラストに関する項目）を設けてもよい。
【０１１４】
第１および第２の実施形態では、変更スキャンパラメータ記憶部４３１に記憶されたテーブルの一例が図８に示されているが、変更スキャンパラメータは、必ずしも図８に示されているパラメータである必要はなく、必要に応じて、図８に示されているパラメータとは別のパラメータを、変更スキャンパラメータとしてもよい。例えば、項目「ＳＮＲを上げたい」が選択された場合、上記の実施形態では、「Phase」が変更されるスキャンパラメータに設定されているが、「Phase」に代えて（又は「Phase」に加えて）、「Freq」を変更されるスキャンパラメータに設定してもよい。
【０１１５】
また、第１および第２の実施形態では、操作者２９が上記の３つの項目の中から一つの項目を選択し、選択された一つの項目を満足するスキャン条件が決定されている。しかし、操作者２９が２つ以上の項目を選択し、選択された２つ以上の項目を満足する新たなスキャン条件が決定されるようにすることも可能である。
【０１１６】
更に、第１および第２の実施形態では、ＭＲＩシステムについて説明しているが、ＣＴ（Computed Tomography）システムについても、操作者２９が任意の項目を選択することによって新たなスキャン条件が決定されるようにすることが可能である。
【図面の簡単な説明】
【０１１７】
【図１】本発明の一実施形態のＭＲＩシステム１のブロック図である。
【図２】操作装置本体３４の機能ブロックを示す図である。
【図３】第１の実施形態におけるＭＲＩシステム１のフローチャートの一例である。
【図４】被検体１１のスキャン条件の一例である。
【図５】再構成画像を表示するモニタ３１の表示画面３１０の一例である。
【図６】複数の項目を表示するモニタ３１の表示画面の一例を示す図である。
【図７】ステップＳ１９で実行されるスキャン条件決定のフローの一例を示す図である。
【図８】変更スキャンパラメータ記憶部４３１に記憶されたテーブルの一例を示す図である。
【図９】図４のスキャン条件Ｃ0と、ＮＥＸ＝２に置き換えられた新たなスキャン条件Ｃt１とを並べて示した図である。
【図１０】スキャン条件Ｃ0および新たなスキャン条件Ｃt１と、Phase＝１６０に置き換えられた別の新たなスキャン条件Ｃt２とを並べて示した図である。
【図１１】「ＳＮＲを上げたい」が選択された場合に決定される新たなスキャン条件Ｃs１およびＣs２を示す図である。
【図１２】図４のスキャン条件Ｃ0と、ＦＯＶ＝２３に置き換えられた新たなスキャン条件Ｃr１とを並べて示した図である。
【図１３】スキャン条件Ｃ0および新たなスキャン条件Ｃr１と、Phase＝２２４に置き換えられた新たなスキャン条件Ｃr２とを並べて示した図である。
【図１４】図１３のスキャン条件Ｃ0、Ｃr１、およびＣr２を表示するモニタ３１の表示画面３１０の一例を示す図である。
【図１５】第２の実施形態における操作装置本体３４の機能ブロックを示す図である。
【図１６】ステップＳ１７において、「空間分解能を上げたい」が選択された場合に、モニタ３１に、図１１のスキャン条件Ｃ0、Ｃr１、およびＣr２がどのように表示されるかを示す図である。
【符号の説明】
【０１１８】
１  ＭＲＩシステム
１０  ＭＲＩ装置
１１  被検体
１１ａ  頭部
１２  受信コイル
２０  制御装置
２１  ＭＲ装置制御手段
２２  画像再構成手段
２９  操作者
３０  操作装置
３１  モニタ
３２  キーボード
３３  マウス
３４  操作装置本体
４１  スキャン条件設定手段
４２  表示制御手段
４３  記憶手段
４４  項目選択手段
４５  スキャン条件決定手段
４６  ＳＮＲ比算出手段
４７  撮影時間算出手段
４８  スキャン条件選択手段
４９  表示判断手段
４２１  項目表示制御部
４２２  画像表示制御部
４２３  スキャン条件表示制御部
４３１  変更スキャンパラメータ記憶部
４３２  スキャン条件記憶部
４５１  変更スキャンパラメータ決定部
４５２  パラメータ値変更部
【図１】
2010005064.tif 000003
【図２】
2010005064.tif 000004
【図３】
2010005064.tif 000005
【図４】
2010005064.tif 000006
【図５】
2010005064.tif 000007
【図６】
2010005064.tif 000008
【図７】
2010005064.tif 000009
【図８】
2010005064.tif 000010
【図９】
2010005064.tif 000011
【図１０】
2010005064.tif 000012
【図１１】
2010005064.tif 000013
【図１２】
2010005064.tif 000014
【図１３】
2010005064.tif 000015
【図１４】
2010005064.tif 000016
【図１５】
2010005064.tif 000017
【図１６】
2010005064.tif 000018